(57)【要約】【課題】本発明は、測定対象１００が予め定められたジッタ伝達特性マスクに適合しているか否かの判定時間を短縮することのできるジッタ伝達特性試験装置及びジッタ伝達特性試験方法の提供を目的とする。【解決手段】本願発明のジッタ伝達特性試験装置１０１は、指定された周波数Ｆ１，Ｆ３，Ｆ５，Ｆ７及びＦ９の正弦波成分が含まれる合成正弦波Ｍｆを用いて測定対象１００のジッタ伝達特性ＴＭの測定を行うジッタ伝達特性測定部１３と、ジッタ伝達特性測定部１３がジッタ伝達特性ＴＭの測定を行う度に、ジッタ伝達特性測定部１３が測定した周波数Ｆ１，Ｆ３，Ｆ５，Ｆ７及びＦ９の正弦波成分とは異なる周波数Ｆ２，Ｆ４，Ｆ６及びＦ８の正弦波成分Ｍｆを指定する正弦波指定部１２と、を備える。【選択図】図１
2011196718.tif 000002
【特許請求の範囲】
【請求項１】
指定された複数の周波数の正弦波成分が含まれる合成正弦波を用いて測定対象（１００）のジッタ伝達特性の測定を行うジッタ伝達特性測定部（１３）と、
前記ジッタ伝達特性測定部が測定を行う度に、前記ジッタ伝達特性測定部が測定した複数の周波数の正弦波成分とは周波数が異なる複数の周波数の正弦波成分を指定する正弦波指定部（１２）と、
を備えるジッタ伝達特性試験装置。
【請求項２】
前記正弦波指定部は、ジッタ伝達特性を測定する予め定められた正弦波成分のうち、前記ジッタ伝達特性測定部に指定した正弦波成分以外の正弦波成分を順次指定することを特徴とする請求項１に記載のジッタ伝達特性試験装置。
【請求項３】
前記正弦波指定部は、ジッタ伝達特性を測定する正弦波成分のうち、予め定められたジッタ伝達特性マスクが略一定値から減衰し始めるカットオフ周波数付近の周波数の正弦波成分を優先的に指定することを特徴とする請求項２に記載のジッタ伝達特性試験装置。
【請求項４】
前記カットオフ周波数付近の周波数は、前記カットオフ周波数を中心に±３ディケード以内の周波数であることを特徴とする請求項３に記載のジッタ伝達特性試験装置。
【請求項５】
前記正弦波指定部は、前記ジッタ伝達特性測定部に指定した正弦波成分の周波数を補間する複数の周波数の正弦波成分を順次指定することを特徴とする請求項２から４のいずれかに記載のジッタ伝達特性試験装置。
【請求項６】
前記ジッタ伝達特性測定部の測定するジッタ伝達特性が、予め定められたジッタ伝達特性マスクを超えたか否かを判定する判定部（１５）をさらに備えることを特徴とする請求項２から５のいずれかに記載のジッタ伝達特性試験装置。
【請求項７】
前記ジッタ伝達特性測定部は、
前記正弦波指定部の指定する複数の周波数の正弦波成分が含まれる合成正弦波を生成する合成正弦波発生部（２１）と、
前記合成正弦波発生部からの合成正弦波で位相変調された変調クロック信号を出力するジッタ発生部（２２）と、
前記ジッタ発生部からの変調クロック信号に同期したデータ信号を生成して前記測定対象に出力するデータ信号発生部（２３）と、
前記測定対象の出力するデータ信号からクロックを再生するクロック再生部（２５）と、
前記クロック再生部からの再生クロック信号の位相検波を行う位相検波部（２６）と、
前記位相検波部の検波する位相変化に含まれる正弦波成分を検出する振幅検出部（２７）と、
前記振幅検出部の検出する正弦波成分の振幅と前記正弦波指定部の指定する正弦波成分の振幅との比を、周波数ごとに求める演算処理部（２９）と、
を備えることを特徴とする請求項２から６のいずれかに記載のジッタ伝達特性試験装置。
【請求項８】
異なる複数の周波数の正弦波成分が含まれる合成正弦波を発生させ、前記合成正弦波を用いて測定対象のジッタ伝達特性の測定を行うジッタ伝達特性測定手順（Ｓ１０１）を繰り返し有し、
前記ジッタ伝達特性測定手順を実行する度に、前記合成正弦波に含まれる複数の正弦波成分の周波数を順次変更するジッタ伝達特性試験方法。
【請求項９】
前記ジッタ伝達特性測定手順において、ジッタ伝達特性を測定する予め定められた正弦波成分のうち、すでに前記合成正弦波に用いた正弦波成分以外の正弦波成分が含まれる合成正弦波を順次発生させることを特徴とする請求項８に記載のジッタ伝達特性試験方法。
【請求項１０】
前記ジッタ伝達特性測定手順において、ジッタ伝達特性を測定する正弦波成分のうち、予め定められたジッタ伝達特性マスクが略一定値から減衰し始めるカットオフ周波数付近の周波数を含む複数の周波数の正弦波成分を指定することを特徴とする請求項９に記載のジッタ伝達特性試験方法。
【請求項１１】
前記カットオフ周波数付近の周波数は、前記カットオフ周波数を中心に±３ディケード以内の周波数であることを特徴とする請求項１０に記載のジッタ伝達特性試験方法。
【請求項１２】
前記ジッタ伝達特性測定手順において、前記ジッタ伝達特性測定手順を実行する度に、前記合成正弦波に含まれる複数の正弦波成分の周波数を順次補間するように変更することを特徴とする請求項９から１１のいずれかに記載のジッタ伝達特性試験方法。
【請求項１３】
前記ジッタ伝達特性測定手順において測定した前記複数の周波数の正弦波成分についてのいずれかのジッタ伝達特性が、予め定められたジッタ伝達特性マスクを超えたか否かを判定する判定手順（Ｓ１０２）を、前記ジッタ伝達特性測定手順の後にさらに有する
ことを特徴とする請求項９から１２のいずれかに記載のジッタ伝達特性試験方法。
【請求項１４】
前記ジッタ伝達特性測定手順において、前記合成正弦波で位相変調された変調クロック信号に同期したデータ信号を前記測定対象に出力し、前記測定対象の出力するデータ信号からクロックを再生して位相検波を行い、検波した位相変化に含まれる正弦波成分の振幅と前記合成正弦波に含まれる正弦波成分の振幅との比を、周波数ごとに求める
ことを特徴とする請求項８から１３のいずれかに記載のジッタ伝達特性試験方法。
【発明の詳細な説明】
【技術分野】
【０００１】
本発明は、ジッタ伝達特性試験装置及びジッタ伝達特性試験方法に関し、特に複数の周波数の正弦波成分についてのジッタ伝達特性を同時に測定するジッタ伝達特性試験装置及びジッタ伝達特性試験方法に関する。
【背景技術】
【０００２】
データ伝送中継器等の測定対象のジッタ伝達特性を試験するジッタ伝達特性試験装置が提案されている（例えば、特許文献１参照。）。図５に、特許文献１のジッタ伝達特性試験装置の構成を示す。特許文献１のジッタ伝達特性試験装置９０は、ジッタ発生部９２と、変調信号発生部９１と、データ信号発生部９３と、演算処理部９９と、クロック再生部９５と、位相検波部９６と、振幅検出部９７と、を備え、以下のように動作する。
【０００３】
ジッタ発生部９２は、入力された変調用信号ＭｍＦによって位相変調された変調クロック信号ＣｍＦを出力する。変調信号発生部９１は、振幅ＡｍＦが既知で周波数ｆの正弦波の変調用信号ＭｍＦを生成してジッタ発生部９２に出力する。データ信号発生部９３は、ジッタ発生部９２から出力された変調クロック信号ＣｍＦに同期したデータ信号ＤｍＦ（例えば擬似ランダム信号）を生成して測定対象１００に与える。なお、変調信号発生部９１は後述する演算処理部９９の指示にしたがって変調用信号ＭｍＦの周波数ｆを可変できるように構成されている。
【０００４】
クロック再生部９５は、測定対象１００が読み取ったデータ信号ＤｍＢを受けてそのクロック成分である再生クロック信号ＣｍＢを再生し、位相検波部９６に出力する。位相検波部９６は、再生クロック信号ＣｍＢに対する位相検波処理を行い、その検波処理で得られた信号ＭｍＢを振幅検出部９７に与える、振幅検出部９７は信号ＭｍＢを検波してその振幅ＡｍＢを求め、演算処理部９９に与える。演算処理部９９では、振幅検出部９７で得られた振幅ＡｍＢと変調用信号ＭｍＢの既知の振幅ＡｍＢとの比ＡｍＢ／ＡｍＦを求め、その対数値をジッタ周波数ｆにおける測定対象１００のジッタ伝達量ＴｍＭとして求める。その演算が終了すると変調用信号ＭｍＦの周波数ｆを別の周波数に変えさせ、上記同様にジッタ伝達量ＴｍＭを求める。
【０００５】
上記のように、特許文献１のジッタ伝達特性試験装置９０は、変調用信号ＭｍＦの周波数ｆを変更しながらジッタ伝達量ＴｍＭを求めることで、所望の周波数範囲でジッタ伝達量ＴｍＭがどのように変化するかを表すジッタ伝達特性を求める。
【先行技術文献】
【特許文献】
【０００６】
【特許文献１】特開平８−２２０１６３号公報
【発明の概要】
【発明が解決しようとする課題】
【０００７】
測定対象のジッタ伝達特性の規格がジッタ伝達特性マスクとして定められている場合、所望の周波数範囲のうちのいずれかの周波数において測定対象１００のジッタ伝達特性が予め定められたジッタ伝達特性マスクよりも大きいとき、測定対象１００は予め定められたジッタ伝達特性マスクに適合していないと扱われる。ジッタ伝達特性は周波数依存性を有し、ある周波数ｆにおいては測定対象１００のジッタ伝達特性が予め定められた規格よりも小さいが、ある周波数ｆにおいては測定対象１００のジッタ伝達特性が予め定められた規格よりも大きくなる場合がある。このため、測定対象１００が予め定められたジッタ伝達特性に適合しているか否かを試験するためには、複数の周波数ｆを用いてジッタ伝達量ＴｍＭを測定する必要がある。
【０００８】
しかし、特許文献１のジッタ伝達特性試験装置９０は、変調用信号ＭｍＦの１つの正弦波信号を変更しながらジッタ伝達量ＴｍＭを求めるため、複数の周波数ｆにおけるジッタ伝達量ＴｍＭを求めようとすると測定する周波数ｆの数だけ繰り返して測定を行う必要がある。このため、測定対象１００が予め定められたジッタ伝達特性に適合しているか否かを試験するためには時間を要していた。
【０００９】
そこで、本発明は、測定対象が予め定められたジッタ伝達特性マスクに適合しているか否かの判定時間を短縮することのできるジッタ伝達特性試験装置及びジッタ伝達特性試験方法の提供を目的とする。
【課題を解決するための手段】
【００１０】
上記目的を達成するために、本願発明のジッタ伝達特性試験装置は、指定された複数の周波数の正弦波成分が含まれる合成正弦波を用いて測定対象（１００）のジッタ伝達特性の測定を行うジッタ伝達特性測定部（１３）と、前記ジッタ伝達特性測定部が測定を行う度に、前記ジッタ伝達特性測定部が測定した複数の周波数の正弦波成分とは周波数が異なる複数の周波数の正弦波成分を指定する正弦波指定部（１２）と、を備える。
【００１１】
本願発明のジッタ伝達特性試験装置は、ジッタ伝達特性測定部を備えるため、複数の周波数の正弦波成分についてのジッタ伝達特性の測定を同時に行うことができる。本願発明のジッタ伝達特性試験装置は、正弦波指定部を備えるため、予め定められたジッタ伝達特性マスクに適合しにくい周波数の正弦波成分についてのジッタ伝達特性の測定を優先して行うことができる。したがって、本願発明のジッタ伝達特性試験装置は、測定対象が予め定められたジッタ伝達特性マスクに適合しているか否かの判定時間を短縮することができる。
【００１２】
本願発明のジッタ伝達特性試験装置では、前記正弦波指定部は、ジッタ伝達特性を測定する予め定められた正弦波成分のうち、前記ジッタ伝達特性測定部に指定した正弦波成分以外の正弦波成分を順次指定してもよい。
規格によって測定すべき正弦波成分が既知である場合、本発明により、測定対象が規格に適合しているか否かを判定することができる。
【００１３】
本願発明のジッタ伝達特性試験装置では、前記正弦波指定部は、ジッタ伝達特性を測定する正弦波成分のうち、予め定められたジッタ伝達特性マスクが略一定値から減衰し始めるカットオフ周波数付近の周波数の正弦波成分を優先的に指定してもよい。
ジッタ伝達特性マスクが略一定値から減衰し始めるカットオフ周波数付近の周波数では、予め定められたジッタ伝達特性マスクに適合しない測定対象が多い。そのため、本願発明のジッタ伝達特性試験装置は、測定対象が予め定められたジッタ伝達特性マスクに適合していないことを少ない測定回数で判定することができる。
【００１４】
本願発明のジッタ伝達特性試験装置では、前記カットオフ周波数付近の周波数は、前記カットオフ周波数を中心に±３ディケード以内の周波数であってもよい。
本願発明のジッタ伝達特性試験装置は、予め定められたジッタ伝達特性マスクに適合しにくい周波数についてのジッタ伝達特性の測定を優先して行うことができる。これにより、本願発明のジッタ伝達特性試験装置は、測定対象が予め定められたジッタ伝達特性マスクに適合していないことを少ない測定回数で判定することができる。
【００１５】
本願発明のジッタ伝達特性試験装置では、前記正弦波指定部は、前記ジッタ伝達特性測定部に指定した正弦波成分の周波数を補間する複数の周波数の正弦波成分を順次指定してもよい。
本願発明のジッタ伝達特性試験装置は、ジッタ伝達特性の概要を判定した後に、詳細を判定することができる。これにより、本願発明のジッタ伝達特性試験装置は、測定対象が予め定められたジッタ伝達特性マスクに適合していることを確認することができる。
【００１６】
本願発明のジッタ伝達特性試験装置では、前記ジッタ伝達特性測定部の測定するジッタ伝達特性が、予め定められたジッタ伝達特性マスクを超えたか否かを判定する判定部（１５）をさらに備えてもよい。
測定対象のジッタ伝達特性マスクが予め定められている場合、本願発明のジッタ伝達特性試験装置は、判定部を備えるため、測定対象が予め定められたジッタ伝達特性マスクに適合しているか否かを判定することができる。
【００１７】
本願発明のジッタ伝達特性試験装置では、前記ジッタ伝達特性測定部は、前記正弦波指定部の指定する複数の周波数の正弦波成分が含まれる合成正弦波を生成する合成正弦波発生部（２１）と、前記合成正弦波発生部からの合成正弦波で位相変調された変調クロック信号を出力するジッタ発生部（２２）と、前記ジッタ発生部からの変調クロック信号に同期したデータ信号を生成して前記測定対象に出力するデータ信号発生部（２３）と、前記測定対象の出力するデータ信号からクロックを再生するクロック再生部（２５）と、前記クロック再生部からの再生クロック信号の位相検波を行う位相検波部（２６）と、前記位相検波部の検波する位相変化に含まれる正弦波成分を検出する振幅検出部（２７）と、前記振幅検出部の検出する正弦波成分の振幅と前記正弦波指定部の指定する正弦波成分の振幅との比を、周波数ごとに求める演算処理部（２９）と、を備えてもよい。
本発明により、ジッタ伝達特性測定部は、複数の周波数の正弦波成分についてのジッタ伝達特性の測定を同時に行うことができる。
【００１８】
上記目的を達成するために、本願発明のジッタ伝達特性試験方法は、異なる複数の周波数の正弦波成分が含まれる合成正弦波を発生させ、前記合成正弦波を用いて測定対象のジッタ伝達特性の測定を行うジッタ伝達特性測定手順（Ｓ１０１）を繰り返し有し、前記ジッタ伝達特性測定手順を実行する度に、前記合成正弦波に含まれる複数の正弦波成分の周波数を順次変更する。
【００１９】
ジッタ伝達特性測定手順において合成正弦波を用いて測定対象のジッタ伝達特性の測定を行うため、複数の周波数の正弦波成分についてのジッタ伝達特性の測定を同時に行うことができる。ジッタ伝達特性測定手順において合成正弦波に含まれる正弦波成分の周波数を順次変更するため、予め定められたジッタ伝達特性マスクに適合しにくい周波数の正弦波成分についてのジッタ伝達特性の測定を優先して行うことができる。したがって、本願発明のジッタ伝達特性試験方法は、測定対象が予め定められたジッタ伝達特性マスクに適合しているか否かの判定時間を短縮することができる。
【００２０】
本願発明のジッタ伝達特性試験方法では、前記ジッタ伝達特性測定手順において、ジッタ伝達特性を測定する予め定められた正弦波成分のうち、すでに前記合成正弦波に用いた正弦波成分以外の正弦波成分が含まれる合成正弦波を順次発生させてもよい。
規格によって測定すべき正弦波成分が既知である場合、本発明により、測定対象が規格に適合しているか否かを判定することができる。
【００２１】
本願発明のジッタ伝達特性試験方法では、前記ジッタ伝達特性測定手順において、ジッタ伝達特性を測定する正弦波成分のうち、予め定められたジッタ伝達特性マスクが略一定値から減衰し始めるカットオフ周波数付近の周波数を含む複数の周波数の正弦波成分を指定してもよい。
ジッタ伝達特性マスクが略一定値から減衰し始めるカットオフ周波数付近の周波数では、予め定められたジッタ伝達特性マスクに適合しない測定対象が多い。そのため、本発明により、測定対象が予め定められたジッタ伝達特性マスクに適合していないことを少ない測定回数で判定することができる。
【００２２】
本願発明のジッタ伝達特性試験方法では、前記カットオフ周波数付近の周波数は、前記カットオフ周波数を中心に±３ディケード以内の周波数であってもよい。
本発明により、予め定められたジッタ伝達特性マスクに適合しにくい周波数の正弦波成分についてのジッタ伝達特性の測定を優先して行うことができる。これにより、測定対象が予め定められたジッタ伝達特性マスクに適合していないことを少ない測定回数で判定することができる。
【００２３】
本願発明のジッタ伝達特性試験方法では、前記ジッタ伝達特性測定手順において、前記ジッタ伝達特性測定手順を実行する度に、前記合成正弦波に含まれる複数の正弦波成分の周波数を順次補間するように変更してもよい。
本発明により、ジッタ伝達特性の概要を判定した後に、詳細を判定することができる。これにより、測定対象が予め定められたジッタ伝達特性マスクに適合していることを確認することができる。
【００２４】
本願発明のジッタ伝達特性試験方法では、前記ジッタ伝達特性測定手順において測定した前記複数の周波数の正弦波成分についてのいずれかのジッタ伝達特性が、予め定められたジッタ伝達特性マスクを超えたか否かを判定する判定手順（Ｓ１０２）を、前記ジッタ伝達特性測定手順の後にさらに有してもよい。
測定対象のジッタ伝達特性マスクが予め定められている場合、判定手順を実行することで、測定対象が予め定められたジッタ伝達特性マスクに適合しているか否かを判定することができる。
【００２５】
本願発明のジッタ伝達特性試験方法では、前記ジッタ伝達特性測定手順において、前記合成正弦波で位相変調された変調クロック信号に同期したデータ信号を前記測定対象に出力し、前記測定対象の出力するデータ信号からクロックを再生して位相検波を行い、検波した位相変化に含まれる正弦波成分の振幅と前記合成正弦波に含まれる正弦波成分の振幅との比を、周波数ごとに求めてもよい。
本発明により、ジッタ伝達特性測定手順において、複数の周波数の正弦波成分についてのジッタ伝達特性の測定を同時に行うことができる。
【００２６】
なお、上記各発明は、可能な限り組み合わせることができる。
【発明の効果】
【００２７】
本発明によれば、測定対象が予め定められたジッタ伝達特性マスクに適合しているか否かの判定時間を短縮することのできるジッタ伝達特性試験装置及びジッタ伝達特性試験方法を提供することができる。
【図面の簡単な説明】
【００２８】
【図１】本実施形態に係るジッタ伝達特性試験装置の一例を示す。
【図２】ジッタ伝達特性の一例を示す。
【図３】本実施形態に係るジッタ伝達特性試験方法の一例を示す。
【図４】正弦波成分の一例を示す。
【図５】特許文献１のジッタ伝達特性試験装置の構成を示す。
【発明を実施するための形態】
【００２９】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００３０】
図１に、本実施形態に係るジッタ伝達特性試験装置の一例を示す。本実施形態に係るジッタ伝達特性試験装置１０１は、データ信号Ｄｆを測定対象１００に出力し、測定対象１００の出力するデータ信号Ｄｂを取得することで、測定対象１００のジッタ伝達特性の試験を行う。ジッタ伝達特性試験装置１０１は、例えば、規格設定部１１と、正弦波指定部１２と、ジッタ伝達特性測定部１３と、判定部１５と、結果表示部１６と、を備える。
【００３１】
規格設定部１１は、予め定められたジッタ伝達特性マスクＴＳを設定する。正弦波指定部１２は、ジッタ伝達特性測定部１３が測定を行う度に、ジッタ伝達特性測定部１３が測定した複数の正弦波成分の周波数とは周波数が異なる複数の周波数の正弦波成分を指定する。例えば、正弦波指定部１２は、ジッタ伝達特性マスクＴＳによって定められる周波数ｆ及び振幅Ａｆを保持しており、規格設定部１１からジッタ伝達特性マスクＴＳを取得すると、ジッタ伝達特性マスクＴＳによって定められる範囲の周波数成分（＝測定ポイント）を抽出する。そして、抽出した測定ポイントのなかから任意の複数の周波数ｆ及び振幅Ａｆを選択してジッタ伝達特性測定部１３に出力する。
【００３２】
ジッタ伝達特性測定部１３は、指定された複数の周波数の正弦波成分が含まれる合成正弦波Ｍｆを用いて測定対象１００のジッタ伝達特性ＴＭの測定を行う。判定部１５は、ジッタ伝達特性測定部１３の測定するジッタ伝達特性ＴＭが、予め定められたジッタ伝達特性マスクＴＳを超えたか否かを判定する。結果表示部１６は、ジッタ伝達特性ＴＭ及びジッタ伝達特性マスクＴＳを表示するとともに、判定部１５の判定結果を表示する。
【００３３】
図２に、ジッタ伝達特性の一例を示す。破線がジッタ伝達特性マスクＴＳを示し、実線がジッタ伝達特性ＴＭを示す。ジッタ伝達特性マスクＴＳは、最低の周波数ＦＬから最高の周波数ＦＨまでの周波数を有する。このジッタ伝達特性マスクＴＳに対して、ジッタ伝達特性測定部１３は、例えば、複数の周波数Ｆ１，Ｆ２，Ｆ３，Ｆ４，ＦＣ，Ｆ５，Ｆ６，Ｆ７，Ｆ８及びＦ９のジッタ伝達特性ＴＭを測定する。
【００３４】
例えば、１度目の測定では、正弦波指定部１２が周波数Ｆ１，Ｆ３，Ｆ５，Ｆ７及びＦ９の正弦波成分を指定し、ジッタ伝達特性測定部１３が周波数Ｆ１，Ｆ３，Ｆ５，Ｆ７及びＦ９の合成正弦波Ｍｆを用いて測定対象１００のジッタ伝達特性ＴＭの測定を行う。本実施形態では、周波数Ｆ３，Ｆ７及びＦ９でのジッタ伝達特性ＴＭがジッタ伝達特性マスクＴＳを超えている。この場合、判定部１５は、周波数Ｆ３，Ｆ７及びＦ９でのジッタ伝達特性ＴＭがジッタ伝達特性マスクＴＳを超えている旨判定する。そして、結果表示部１６は、周波数Ｆ１，Ｆ３，Ｆ５，Ｆ７及びＦ９のジッタ伝達特性ＴＭ及びジッタ伝達特性マスクＴＳを表示するとともに、Ｆ３，Ｆ７及びＦ９でのジッタ伝達特性ＴＭがジッタ伝達特性マスクＴＳを超えている旨表示する。
【００３５】
正弦波指定部１２が任意の複数の周波数の正弦波成分を指定することができるため、ジッタ伝達特性ＴＭがジッタ伝達特性マスクＴＳを超えやすい正弦波成分から順にジッタ伝達特性ＴＭを測定することができる。これにより、ジッタ伝達特性試験装置１０１は、測定対象１００が予め定められたジッタ伝達特性マスクＴＳに適合しているか否かの判定時間を短縮することができる。
【００３６】
ここで、ジッタ伝達特性マスクＴＳは、周波数ＦＬからカットオフ周波数ＦＣではほぼ一定値となっており、カットオフ周波数ＦＣから周波数ＦＨまでは徐々に減衰している。この場合、ジッタ伝達特性ＴＭはカットオフ周波数ＦＣの周辺でジッタ伝達特性マスクＴＳを超えることが多い。そこで、正弦波指定部１２は、ジッタ伝達特性ＴＭを測定する正弦波成分のうち、ジッタ伝達特性マスクＴＳが略一定値から減衰し始めるカットオフ周波数ＦＣ付近の周波数を優先的に指定する。ここで、カットオフ周波数ＦＣ付近の周波数は、例えば、カットオフ周波数ＦＣを中心に±３ディケード以内の周波数であることが好ましく、さらにカットオフ周波数ＦＣを中心に±１ディケード以内の周波数であることが好ましい。例えば、カットオフ周波数ＦＣを中心に±１ディケード以内に周波数Ｆ４及びＦ５が存在する場合、正弦波指定部１２は、周波数Ｆ５の正弦波成分を１度目の測定で指定する。
【００３７】
また、正弦波指定部１２は、ジッタ伝達特性測定部１３に指定した正弦波成分の周波数を補間する複数の周波数の正弦波成分を順次指定することが好ましい。例えば、段落００３４で説明した１度目の測定後の２度目の測定では、正弦波指定部１２が周波数Ｆ２，Ｆ４，Ｆ６及びＦ８の正弦波成分を指定し、ジッタ伝達特性測定部１３が周波数Ｆ２，Ｆ４，Ｆ６及びＦ８の合成正弦波Ｍｆを用いて測定対象１００のジッタ伝達特性ＴＭの測定を行う。本実施形態では、周波数Ｆ６及びＦ８でのジッタ伝達特性ＴＭがジッタ伝達特性マスクＴＳを超えている。この場合、判定部１５は、周波数Ｆ６及びＦ８でのジッタ伝達特性ＴＭがジッタ伝達特性マスクＴＳを超えている旨判定する。そして、結果表示部１６は、周波数Ｆ２，Ｆ４，Ｆ６及びＦ８のジッタ伝達特性ＴＭ及びジッタ伝達特性マスクＴＳを表示するとともに、Ｆ６及びＦ８でのジッタ伝達特性ＴＭがジッタ伝達特性マスクＴＳを超えている旨表示する。
【００３８】
このように、ジッタ伝達特性測定部１３が測定を行う度に、正弦波指定部１２は、ジッタ伝達特性測定部１３が測定した複数の正弦波成分の周波数とは異なる複数の周波数の正弦波成分を指定する。ジッタ伝達特性ＴＭがジッタ伝達特性マスクＴＳを超えやすい正弦波成分から順にジッタ伝達特性ＴＭを測定することで、ジッタ伝達特性試験装置１０１は、測定対象１００が予め定められたジッタ伝達特性マスクＴＳに適合しているか否かの判定時間を短縮することができる。
【００３９】
ジッタ伝達特性測定部１３は、合成正弦波発生部２１と、ジッタ発生部２２と、データ信号発生部２３と、クロック再生部２５と、位相検波部２６と、振幅検出部２７と、演算処理部２９と、発振器２８と、を備える。
【００４０】
図３に、本実施形態に係るジッタ伝達特性試験方法の一例を示す。本実施形態に係るジッタ伝達特性試験方法は、ジッタ伝達特性測定手順Ｓ１０１と、判定手順Ｓ１０２と、を順に繰り返す。ジッタ伝達特性測定手順Ｓ１０１は、合成正弦波の発生手順Ｓ２０１と、ジッタ伝達特性の測定手順Ｓ２０２と、正弦波成分の変更手順Ｓ２０３と、を順に有する。
【００４１】
図３に示す合成正弦波の発生手順Ｓ２０１では、異なる複数の周波数の正弦波成分が含まれる合成正弦波を発生させる。周波数ｆ及び振幅Ａｆの正弦波成分であれば、周波数ｆは、例えば周波数Ｆ１，Ｆ３，Ｆ５，Ｆ７及びＦ９である。そして、合成正弦波発生部２１が、正弦波指定部１２の指定する周波数ｆ及び振幅Ａｆの正弦波成分が含まれる合成正弦波Ｍｆを生成する。
【００４２】
ここで、合成正弦波の発生手順Ｓ２０１では、ジッタ伝達特性を測定する周波数Ｆ１〜Ｆ９の正弦波成分のうち、ジッタ伝達特性マスクＴｓが略一定値から減衰し始めるカットオフ周波数ＦＣ付近の周波数の正弦波成分を指定することが好ましい。この場合、カットオフ周波数ＦＣ付近の周波数は、例えば、カットオフ周波数ＦＣを中心に±３ディケード以内の周波数であり、さらに±１ディケード以内の周波数であることが好ましい。例えば、カットオフ周波数ＦＣを中心に±１ディケード以内に周波数Ｆ４及びＦ５が存在する場合、周波数Ｆ５の正弦波成分を１度目の測定で指定する。
【００４３】
図３に示すジッタ伝達特性の測定手順Ｓ２０２では、合成正弦波Ｍｆを用いて測定対象１００のジッタ伝達特性ＴＭの測定を行う。例えば、発振器２８が基準クロック信号Ｃｏを出力する。ジッタ発生部２２が、基準クロック信号Ｃｏを合成正弦波発生部２１からの合成正弦波Ｍｆで位相変調する。これにより、ジッタ発生部２２は、合成正弦波発生部２１からの合成正弦波Ｍｆで位相変調された変調クロック信号Ｃｆを出力する。データ信号発生部２３は、ジッタ発生部２２からの変調クロック信号Ｃｆに同期したデータ信号Ｄｆを生成して測定対象１００に出力する。クロック再生部２５は、測定対象１００の出力するデータ信号Ｄｂからクロックを再生して再生クロック信号Ｃｂを出力する。位相検波部２６は、発振器２８からの基準クロック信号Ｃｏが入力され、クロック再生部２５からの再生クロック信号Ｃｂの位相検波を行い、基準クロック信号Ｃｏに対する再生クロック信号Ｃｂの位相変化を表す信号Ｍｂを出力する。振幅検出部２７は、位相検波部２６の検波する位相変化を表す信号Ｍｂに含まれる周波数ｆ及び振幅Ａｂの正弦波成分を検出する。演算処理部２９は、振幅検出部２７の検出する正弦波成分の振幅Ａｂと正弦波指定部１２の指定する正弦波成分の振幅Ａｆとの比（Ａｂ／Ａｆ）を、周波数ｆごとに求める。これにより、周波数ｆにおけるジッタ伝達特性ＴＭを求めることができる。例えば、振幅Ａｂと振幅Ａｆとの比（Ａｂ／Ａｆ）の対数をとることで、ジッタ伝達特性ＴＭを算出することができる。
【００４４】
図４に、正弦波成分の一例を示す。ジッタ伝達特性マスクＴＳの正弦波成分すなわち周波数ｆ及び振幅Ａｆは、規格設定部１１の設定するジッタ伝達特性マスクＴＳによって予め定められている。例えば、周波数Ｆ１であれば振幅Ａｆ１、周波数Ｆ２であれば振幅Ａｆ２、周波数Ｆ３であれば振幅Ａｆ３、周波数Ｆ４であれば振幅Ａｆ４、カットオフ周波数ＦＣであれば振幅ＡｆＣ、周波数Ｆ５であれば振幅Ａｆ５、周波数Ｆ６であれば振幅Ａｆ６、周波数Ｆ７であれば振幅Ａｆ７、周波数Ｆ８であれば振幅Ａｆ８、周波数Ｆ９であれば振幅Ａｆ９である。ジッタ伝達特性マスクＴＳが異なれば、これら振幅Ａｆ１〜Ａｆ９も異なる。
【００４５】
合成正弦波Ｍｆが周波数Ｆ１，Ｆ３，Ｆ５，Ｆ７及びＦ９の合成正弦波である場合、信号Ｍｂには、周波数Ｆ１で振幅Ａｂ１の正弦波成分、周波数Ｆ３で振幅Ａｂ３の正弦波成分、周波数Ｆ５で振幅Ａｂ５の正弦波成分、周波数Ｆ７で振幅Ａｂ７の正弦波成分、周波数Ｆ９で振幅Ａｂ９の正弦波成分が含まれる。この場合、演算処理部２９は、周波数Ｆ１の振幅の比（Ａｂ１／Ａｆ１）、周波数Ｆ３の振幅の比（Ａｂ３／Ａｆ３）、周波数Ｆ５の振幅の比（Ａｂ５／Ａｆ５）、周波数Ｆ７の振幅の比（Ａｂ７／Ａｆ７）及び周波数Ｆ９の振幅の比（Ａｂ９／Ａｆ９）を求める。これにより、演算処理部２９は、周波数Ｆ１，Ｆ３，Ｆ５，Ｆ７及びＦ９におけるジッタ伝達特性ＴＭを求めることができる。
【００４６】
図３に示す判定手順Ｓ１０２では、ジッタ伝達特性測定手順Ｓ１０１において測定した複数の周波数の正弦波成分についてのいずれかのジッタ伝達特性ＴＭが、予め定められたジッタ伝達特性マスクＴＳを超えたか否かを判定する。例えば、周波数Ｆ１におけるジッタ伝達特性ＴＭが周波数Ｆ１におけるジッタ伝達特性マスクＴＳを超えたか否かを判定する。周波数Ｆ３，Ｆ５，Ｆ７及びＦ９についても同様に判定する。本実施形態では、周波数Ｆ３，Ｆ７及びＦ９においてジッタ伝達特性ＴＭがジッタ伝達特性マスクＴＳを超えている。この場合、測定対象１００が予め定められたジッタ伝達特性マスクＴＳに適合していないことを、１度の測定で判定することができる。そして、ジッタ伝達特性試験装置１０１は、本実施形態に係るジッタ伝達特性試験方法の実行を終了する。
【００４７】
判定手順Ｓ１０２において、周波数Ｆ１，Ｆ３，Ｆ５，Ｆ７及びＦ９のいずれもジッタ伝達特性ＴＭがジッタ伝達特性マスクＴＳを超えていない場合は、正弦波成分の変更手順Ｓ２０３に移行する。正弦波成分の変更手順Ｓ２０３では、合成正弦波の発生手順Ｓ２０１で発生させた合成正弦波Ｍｆに含まれる複数の正弦波成分の周波数を順次変更する。
【００４８】
このとき、ジッタ伝達特性測定手順Ｓ１０１を実行する度に、合成正弦波Ｍｆに含まれる複数の正弦波成分の周波数を順次補間するように変更してもよい。例えば、正弦波指定部１２は、ジッタ伝達特性を測定する予め定められた周波数Ｆ１〜Ｆ９の正弦波成分のうち、ジッタ伝達特性測定部１３に指定した周波数Ｆ１，Ｆ３，Ｆ５，Ｆ７及びＦ９を補間する周波数Ｆ２，Ｆ４，Ｆ６及びＦ８の正弦波成分を指定する。そして、合成正弦波の発生手順Ｓ２０１に移行する。
【００４９】
合成正弦波の発生手順Ｓ２０１では、周波数Ｆ２，Ｆ４，Ｆ６及びＦ８の正弦波成分が含まれる合成正弦波Ｍｆを発生させる。そして、ジッタ伝達特性の測定手順Ｓ２０２に移行する。ジッタ伝達特性の測定手順Ｓ２０２では、周波数Ｆ２，Ｆ４，Ｆ６及びＦ８の合成正弦波Ｍｆを用いて測定対象１００のジッタ伝達特性ＴＭの測定を行う。これにより、演算処理部２９は、周波数Ｆ２，Ｆ４，Ｆ６及びＦ８におけるジッタ伝達特性ＴＭを求めることができる。
【００５０】
このように、ジッタ伝達特性測定手順Ｓ１０１において測定した複数の周波数の正弦波成分についてのいずれのジッタ伝達特性ＴＭもジッタ伝達特性マスクＴＳを超えていない場合は、合成正弦波Ｍｆに含まれる正弦波成分の周波数を順次変更しながらジッタ伝達特性測定手順Ｓ１０１を繰り返して実行する。
【００５１】
ジッタ伝達特性測定手順Ｓ１０１において正弦波指定部１２が任意の複数の周波数の正弦波成分を指定することができるため、ジッタ伝達特性ＴＭがジッタ伝達特性マスクＴＳを超えやすい正弦波成分から順にジッタ伝達特性ＴＭを測定することができる。このため、ジッタ伝達特性測定手順Ｓ１０１及び判定手順Ｓ１０２を繰返し実行することで、ジッタ伝達特性試験装置１０１は、測定対象１００が予め定められたジッタ伝達特性マスクＴＳに適合しているか否かの判定時間を短縮することができる。
【００５２】
なお、本実施形態では、正弦波指定部１２の一例として、１度目の測定では図２に示す周波数Ｆ１，Ｆ３，Ｆ５，Ｆ７及びＦ９の正弦波成分を指定し、２度目の測定では図２に示す周波数Ｆ２，Ｆ４，Ｆ６及びＦ８の正弦波成分を指定したが、これに限定されるものではない。
【００５３】
例えば、正弦波指定部１２は、１度目の測定ではカットオフ周波数ＦＣの周辺の周波数範囲、例えば周波数Ｆ３〜周波数Ｆ６の範囲の正弦波成分を指定し、その後にその他の周波数範囲の正弦波成分を指定してもよい。その他の周波数範囲は、例えば、２度目の測定では周波数Ｆ１〜周波数Ｆ３の範囲内の正弦波成分を指定し、３度目の測定では周波数Ｆ６〜周波数Ｆ９の範囲内の正弦波成分を指定する。これにより、測定対象１００が予め定められたジッタ伝達特性マスクＴＳに適合していないことを、少ない回数の測定で判定することができる。
【００５４】
例えば、正弦波指定部１２は、１度目の測定では１ディケードにつき１つの周波数の正弦波成分を指定していき、全ディケードでの正弦波成分を指定し終わった後に、既に指定した周波数を補間するように指定してもよい。これにより、測定対象１００のジッタ伝達特性ＴＭの概要を、少ない回数の測定で把握することができる。
【産業上の利用可能性】
【００５５】
本発明は、情報通信産業に適用することができる。
【符号の説明】
【００５６】
１１：規格設定部
１２：正弦波指定部
１３：ジッタ伝達特性測定部
１５：判定部
１６：結果表示部
２１：合成正弦波発生部
２２：ジッタ発生部
２３：データ信号発生部
２５：クロック再生部
２６：位相検波部
２７：振幅検出部
２８：発振器
２９：演算処理部
９０：ジッタ伝達特性試験装置
９１：変調信号発生部
９２：ジッタ発生部
９３：データ信号発生部
９５：クロック再生部
９６：位相検波部
９７：振幅検出部
９９：演算処理部
１００：測定対象
１０１：ジッタ伝達特性試験装置
【図１】
2011196718.tif 000003
【図２】
2011196718.tif 000004
【図３】
2011196718.tif 000005
【図４】
2011196718.tif 000006
【図５】
2011196718.tif 000007